(57)【要約】【課題】  子豚が滑り難く、また、子豚の起立性や歩行安定性にも優れた新生豚保育用床暖房マットの提供。【解決手段】  ステンレス製の表面板材１２と、表面板材１２の下側の面発熱体２０と、面発熱体２０の下側の断熱材基盤２６と、断熱材基盤２６の下側のステンレス製の底面床材２８とによって、新生豚保育用床暖房マット１０を構成し、表面板材１２の表側面１４上に、複数個の凹部１６を形成し、凹部１６の直径を２０ｍｍ、最短距離で隣接する凹部１６どうしの中心間距離を３０ｍｍとする。【選択図】  図１
2010142186.tif 000002
【特許請求の範囲】
【請求項１】
授乳期の子豚を飼育する豚舎の床に敷く新生豚保育用床暖房マットであって、表面板材と、当該表面板材の下側に密接して設けられた面発熱体と、当該面発熱体の下側に設けられた断熱材基盤と、当該断熱材基盤の下側に設けられた底面床材とからなり、
前記表面板材がステンレス板によって形成されており、かつ前記表面板材の表側面上に、たがいに独立した複数個の凹部が形成されていることを特徴とする新生豚保育用床暖房マット。
【請求項２】
前記凹部の最大径が、２０〜３０ｍｍであることを特徴とする請求項１に記載の新生豚保育用床暖房マット。
【請求項３】
最短距離で隣接する前記凹部どうしの中心間距離が、３０〜６０ｍｍであることを特徴とする請求項１又は請求項２に記載の新生豚保育用床暖房マット。
【請求項４】
前記凹部の深さが、１〜２ｍｍであることを特徴とする請求項１から請求項３のうちいずれかの請求項に記載の新生豚保育用床暖房マット。
【請求項５】
前記凹部の形状が、円形又は多角形であることを特徴とする請求項１から請求項４のうちのいずれかの請求項に記載の新生豚保育用床暖房マット。
【請求項６】
前記面発熱体が、ゲルマニウムを含有して通電することにより発熱する抵抗体を有し、当該抵抗体が、樹脂によって密封されていることを特徴とする請求項１から請求項５のうちのいずれかの請求項に記載の新生豚保育用床暖房マット。
【請求項７】
前記抵抗体に通電するための電源が、直流電源であり、当該電源から前記抵抗体に印加される電圧が、２０ボルト以下であることを特徴とする請求項６に記載の新生豚保育用床暖房マット。
【発明の詳細な説明】
【技術分野】
【０００１】
本発明は、授乳期の子豚を飼育する豚舎の床に敷く新生豚保育用床暖房マットに関する。
【背景技術】
【０００２】
生まれたばかりの子豚は、寒冷時に十分保温しないと寒冷死を招くことがある。そのため、豚舎における子豚の保育室の床部に敷設する暖房装置として、保温マット（特許文献１を参照）や床暖房（特許文献２を参照）、電熱ヒーターを内蔵した保温マット（特許文献３、４を参照）などが提案されている。
一般に授乳期間における子豚を飼育するため豚舎は、母豚が居住し授乳する場所と子豚が居住する保育室とに分けられている。保育室は壁などで囲われ、適温に暖房するためにその床の上には上記保温マット等が敷かれている。保育室には出入り口があり、子豚は１日に数十回（特許文献６を参照）、吸乳のため保育室から起ち上がり、母豚の居所に移動して吸乳する。吸乳した子豚は、保育室内で腹這いまたは横臥した状態となって保温パネル等に密着して暖をとる。
【０００３】
従って、子豚が保育室から授乳場所に移動するときに起ち上がる動作が容易に行えることが、子豚の生育に影響する。このことは、特に、未熟豚など弱い子豚にとって死活問題となる。そのため、合成ゴム製やプラスチック製の保温マット等では表面に凹凸を設けるなどして、子豚の起ち上がりを容易にする工夫がされている（特許文献３、４、５を参照）。
【０００４】
なお、以下に述べる説明の理解を助けるべく、子豚の脚先と子豚の歩行について説明しておく。図５に示すように、子豚はその脚先に主蹄３２と副蹄３４とを有している。通常、子豚は主蹄３２だけを地面につけて歩行する。
【特許文献１】特開２００２−３６００９２号公報
【特許文献２】特開２００６−１２１９２３号公報
【特許文献３】特開２００４−３２１１４３号公報
【特許文献４】特開２００８−２８９５０５号公報
【特許文献５】特開平９−１２１７０８号公報
【特許文献６】特開平７−２１３１８６号公報
【発明の開示】
【発明が解決しようとする課題】
【０００５】
従来提案されている上記保温マット等は、合成ゴムや塩化ビニル樹脂などのプラスチックで構成されている。そのため、豚がストレス等により保温マットを齧るなど耐久性の問題があった。また、複雑な溝状の凹凸が形成されているため排泄物等による汚染を十分洗浄できなくなり、疾病発生の危険性があるという問題があった。これらの問題を解消するため、ステンレス製板を表面板材として使用したいという潜在的なニーズがあった。
【０００６】
しかし、ステンレス表面板材は、合成ゴム製やプラスチック製の保温マットに比べて、その上で子豚が滑りやすい。このため、特に誕生後間もない子豚が腹這いや横臥状態から起ち上がる際の起立性が悪いという問題があった。また、子豚が、歩行時に不安定となり転ぶなどして、関節障害を起こしやすいなどの問題もあった。
本発明は、ステンレス表面板材の耐久性、清潔性など本来の長所を生かしながらも、子豚が滑り難く、子豚の起立性や歩行安定性に優れたステンレス表面板材を有する新生豚保育用暖房マットを提供することを第一の目的としている。
【０００７】
更には、従来の電熱ヒーターを内蔵する保温マット等はＡＣ１００ボルト電源を用いるため、万一の場合、コードが破損して子豚が感電ショックを受ける可能性を排除できないという問題があった。
これに対して、本発明では、子豚が感電ショックを受ける恐れのない低電圧でも十分な発熱量を確保できる面発熱体による安全な新生豚保育用床暖房マットを提供することを第二の目的としている。
【課題を解決するための手段】
【０００８】
本発明は、その課題を解決するために以下のような構成をとる。請求項１の発明に係る新生豚保育用床暖房マットは、授乳期の子豚を飼育する豚舎の床に敷く新生豚保育用床暖房マットであって、表面板材と、当該表面板材の下側に密接して設けられた面発熱体と、当該面発熱体の下側に設けられた断熱材基盤と、当該断熱材基盤の下側に設けられた底面床材とからなり、前記表面板材がステンレス板によって形成されており、かつ前記表面板材の表側面上に、たがいに独立した複数個の凹部が形成されている。
【０００９】
新生豚保育用床暖房マットの表面板材の表側面上には、複数個の凹部が形成されている。新生豚保育用床暖房マットの上で、子豚はこれらの凹部に主蹄の全部あるいは一部を入れるか引っ掛けるかして、安全に踏ん張って立った姿勢を維持することができる。また、子豚が凹部に主蹄の全部あるいは一部を入れるか引っ掛けるかしさえすれば、主蹄が凹部から滑って外れてしまうことがない。
【００１０】
また、凹部どうしが互いに独立しているので、ひとつの凹部に入ったり引っ掛かったりした子豚の主蹄が、隣の凹部に滑って入ったりすることがない。したがって、子豚の左右の前脚、あるいは、左右の後脚が大きく開きすぎてしまうことがなく、子豚に関節障害が発生することが防止される。
歩行中の子豚が、新生豚保育用床暖房マットの上でよろけたり、滑ったりしそうになったとしても、子豚は主蹄の全部あるいは一部を凹部に入れるか引っ掛けるかすることができる。したがって、子豚は新生豚保育用床暖房マットの上を安定した姿勢で歩行することができ、歩行時の子豚が滑ったり転倒したりすることに起因する関節障害の発生が防止される。
【００１１】
子豚が、新生豚保育用床暖房マットの上で腹這いや横臥状態から起ち上がろうとする際にも、凹部に主蹄の全部あるいは一部を入れるか引っ掛けるかすることができる。したがって、子豚は、よろけて滑ったり転倒したりすることなく、安全にしっかりと起ち上がることができ、子豚に関節障害が発生することが防止される。
また、子豚は、新生豚保育用床暖房マットの上で、面発熱体が発する熱によって暖をとり、暖かく快適に過ごすことができる。
【００１２】
新生豚保育用床暖房マットの表面板材は、ステンレス板である表面板材を有しているので、水をかけるだけで付着した汚れを簡単に落とすことができる。したがって、子豚を飼育する豚舎内を清潔に維持するためにかかる手間が小さくてすむ。また、子豚を飼育する豚舎内での細菌・病原菌・ウイルスの感染を低減でき、子豚の疾病、病死等を抑止できる。
さらに、表面板材がステンレス板によって形成されているので、新生豚保育用床暖房マットが子豚にかじられて損傷することもない。
なお、表面板材の表側面上における凹部は、例えば、いわゆる千鳥格子状に配置されていてもよいし、碁盤の目状に配置されていてもよい。
【００１３】
請求項２の発明に係る新生豚保育用床暖房マットは、請求項１に記載の新生豚保育用床暖房マットであって、前記凹部の最大径が、２０〜３０ｍｍである。
誕生してから３週間目までの間に、子豚の主蹄の大きさは、２０ｍｍから３０ｍｍに成長する。したがって、凹部の最大径が、２０〜３０ｍｍであれば、新生豚保育用床暖房マットの上で、子豚は、凹部に主蹄の全部あるいは一部を入れたり引っ掛けたりすることができる。
【００１４】
請求項３の発明に係る新生豚保育用床暖房マットは、請求項１又は請求項２に記載の新生豚保育用床暖房マットであって、最短距離で隣接する前記凹部どうしの中心間距離が、３０〜６０ｍｍである。
最短距離で隣接する凹部どうしの中心間距離が、３０ｍｍ未満であると、凹部の最大径が３０ｍｍである場合に、隣接する凹部どうしが独立せずにつながってしまう。隣接する凹部どうしがつながっていると、子豚が主蹄の一部をひとつの凹部に引っ掛けたとしても、引っ掛かった部分が隣の凹部に滑って入ってしまいやすく、姿勢を崩しやすい。また、このことは、子豚に関節障害が発生する原因にもなる。
【００１５】
子豚が誕生してから離乳するまでに要する日数はおよそ３週間である。この間に、子豚の前脚の左右の主蹄どうしの間隔や、後脚の左右の主蹄どうしの間隔は、６０ｍｍから１２０ｍｍに成長する。最短距離で隣接する凹部どうしの中心間距離が、１２０ｍｍを超えると、誕生して間もない子豚は、凹部に主蹄の全部あるいは一部を入れるか引っ掛けるかするために、左右の前脚、あるいは、左右の後脚を、大きく開かなければならない。この結果、子豚に関節障害が発生する危険性がある。
誕生してから離乳するまでの間の子豚が、安全に凹部に主蹄の全部あるいは一部を入れるか引っ掛けるかして、安全に歩行したり起ち上がったりするためには、最短距離で隣接する凹部どうしの中心間距離が、３０〜６０ｍｍであればよい。
【００１６】
請求項４の発明に係る新生豚保育用床暖房マットは、請求項１から請求項３のうちいずれかの請求項に記載の新生豚保育用床暖房マットであって、前記凹部の深さが、１〜２ｍｍである。
【００１７】
凹部の深さが、１ｍｍ未満であると、子豚が、凹部に主蹄の全部あるいは一部を入れたり引っ掛けたりしたとしても、凹部から主蹄がすぐに外れてしまう。
凹部の深さが、２ｍｍを超えると、凹部に汚れがたまりやすくなり、豚舎の衛生上好ましくない。また、新生豚保育用床暖房マットの上で、歩行中の子豚が、凹部につまずく危険もある。
凹部の深さが、１〜２ｍｍであれば、子豚は、凹部に主蹄の全部あるいは一部を入れるか引っ掛けるかして、安全に起ち上がることができるし、新生豚保育用床暖房マットを清潔に保つことが簡単である。また、子豚は、新生豚保育用床暖房マットの上をつまずかずに安全に歩行することができる。
【００１８】
請求項５の発明に係る新生豚保育用床暖房マットは、請求項１から請求項４のうちのいずれかの請求項に記載の新生豚保育用床暖房マットであって、前記凹部の形状が、円形又は多角形である。
凹部の形状が円形であれば、子豚は、いずれの方向からでも凹部に主蹄の全部あるいは一部を入れ足り引っ掛けたりすることができる。凹部の形状が多角形であれば、子豚は、その多角形の頂点部分に、主蹄の一部をあてがうなどしてしっかりと安全に踏ん張ることができる。
【００１９】
また、子豚の脚底の形は略円形である。このため、凹部が円形をなし、凹部の大きさが子豚の主蹄よりも大きければ、子豚は主蹄の全部を凹部に入れることができる。子豚の主蹄の全部が円形の凹部に入ると、その主蹄は凹部の円弧に寄り添うようにはまる。主蹄が凹部に一旦はまると、その主蹄は凹部に固定されて、凹部から主蹄に働く支持力が大きくなり、子豚が踏ん張っても、主蹄が凹部から外れない。このため、子豚が腹這いや横臥状態から起ち上がる時間が大幅に短縮され、子豚が歩行する際の安定性も確保される。
【００２０】
請求項６の発明に係る新生豚保育用床暖房マットは、請求項１から請求項５のうちのいずれかの請求項に記載の新生豚保育用床暖房マットであって、前記面発熱体が、ゲルマニウムを含有して通電することにより発熱する抵抗体を有し、当該抵抗体が、樹脂によって密封されている。
ゲルマニウムを含有して通電することにより発熱するする抵抗体は、発熱に必要とする電力が小さく、豚舎の暖房のために必要なコストを抑制することができる。また、かかる抵抗体を有する面発熱体は、その温度の起ち上がりが早く、表面板材を一定の温度（例えば、子豚の体温よりわずかに高い温度）に維持することができる。したがって、新生豚保育用床暖房マット全体の温度を均一かつ適温に維持することが容易であり、局部加熱による子豚の低温やけどを防止できる。
また、抵抗体が樹脂によって密封されているので、水をかけて新生豚保育用床暖房マットを洗う場合に、ショートしたりすることが防止されている。
【００２１】
請求項７の発明に係る新生豚保育用床暖房マットは、請求項６に記載の新生豚保育用床暖房マットであって、前記抵抗体に通電するための電源が、直流電源であり、当該電源から前記抵抗体に印加される電圧が、２０ボルト以下である。
面発熱体に通電するための電源が、直流電源であり、この電源から抵抗体に印加される電圧が２０ボルト以下であるので、抵抗体に通電するためのコードに万一破損などが生じることがあったとしても、子豚が感電ショックをうける恐れはない。
また、ゲルマニウムを含有して通電することにより発熱するする抵抗体は、印加される電圧が２０ボルト以下であっても、子豚を飼育する豚舎を暖房するために十分な発熱量を有する。
【発明の効果】
【００２２】
上記のような新生豚保育用床暖房マットであるので、ステンレス板である表面板材の耐久性、清潔性など本来の長所が生かされているうえに、表面板材の上において、子豚が滑り難くなっており、また、子豚の起立性や歩行安定性にも優れている。このことに加えて、子豚が感電ショックを受けることが防止されている。
【発明を実施するための最良の形態】
【００２３】
本発明を実施するための最良の形態を図１から図３を参照しつつ説明する。図１は、新生豚保育用床暖房マットの上面図、図２は、図１のＩＩ−ＩＩ線断面図、図３は、面発熱体の構成図である。
図１及び図２に示すように、新生豚保育用床暖房マット１０は、表面板材１２、面発熱体２０、断熱材基盤２６、及び底面床材２８を有している。新生豚保育用床暖房マット１０の上側から下側にかけて、表面板材１２、面発熱体２０、断熱材基盤２６、底面床材２８が順番に重なっている。
【００２４】
表面板材１２は、ステンレス板により形成されており、長方形をなしている。表面板材１２の表側面１４の上には、互いに独立した複数個の窪みが、凹部１６として全面にわたって均等に形成されている。そして、凹部１６を除く表側面１４の部分が、平坦部１８をなしている。
上方から凹部１６を見ると、各凹部１６の形状は円形をなしており、凹部１６の直径Ｄは２０ｍｍ、凹部１６の深さＨは１．５ｍｍである。また、隣接する凹部１６どうしの最短の中心間距離Ｌ１は３０ｍｍである。ひとつの凹部１６Ａに着目すると、凹部１６Ａを中心とする直径３０ｍｍの円周上には、６個の凹部１６Ｂが等間隔で配置されている。すなわち、凹部１６が表面板材１２の表側面１４の上にいわゆる千鳥格子状をなして均等に配置されている。
【００２５】
図２及び図３に示すように、面発熱体２０は、複数本の平たく細長い抵抗体２２を有しており、各抵抗体２２が互いに平行に配置されている。抵抗体２２は、ゲルマニウムを含有している。各抵抗体２２の長手方向の一端には電線２４Ａが接続され、他端には電線２４Ｂが接続されており、電線２４Ａ、２４Ｂを介して抵抗体２２に電圧を印加可能に構成されている。
抵抗体２２及び電線２４Ａ、２４Ｂは、樹脂製の薄層２５の中に密封されている。各抵抗体２２は、表面板材１２の平坦部１８の裏側の全体にわたって薄層２５を介して密接している。
【００２６】
断熱材基盤２６は、ウレタン製の板材であり、表面板材１２よりも僅かに小さな長方形をなしている。
底面床材２８は、平坦なステンレス板によって形成されており、表面板材１２と同じ大きさの長方形をなしている。
表面板材１２の周縁と底面床材２８の周縁とは互いに密着している。面発熱体２０と断熱材基盤２６とが、表面板材１２と底面床材２８との間に密封されており、新生豚保育用床暖房マット１０の内部に水分や汚れが入ることを防止可能に構成されている。
【００２７】
新生豚保育用床暖房マット１０の周縁部の一部には、防水構造のソケット３０が形成されている。ソケット３０に挿した電源コード３１を介して、外部電源から面発熱体２０の抵抗体２２に通電可能に構成されている。この外部電源は直流電源であり、外部電源から抵抗体２２に印加される電圧は２０ボルト以下である。なお、ソケット３０の防水構造は、従来ある屋外用のソケットの防水構造と同様のものである。
【００２８】
新生豚保育用床暖房マット１０は、以上に説明した構成を有する、次に、新生豚保育用床暖房マット１０の作用について説明する。
誕生してから離乳するまでの子豚を育てる豚舎の保育室の床に、新生豚保育用床暖房マット１０が敷設されており、新生豚保育用床暖房マット１０によって保育室の暖房がなされる。
【００２９】
面発熱体２０の抵抗体２２がゲルマニウムを含有する抵抗体であるので、その温度の起ち上がりが早い。また、表面板材１２の表側面１４の温度を子豚の体温よりわずかに高い温度に維持することが容易であり、表側面１４全体を均一温度に保つことができる。表側面１４の局部加熱が防止されており、子豚が低温やけどすることがない。
新生豚保育用床暖房マット１０の上で腹這いや横臥状態になった子豚は、表面板材１２の平坦部１８に自分の肌を密着させて、面発熱体２０の抵抗体２２が発する熱によって暖をとり、暖かく快適にすごすことができる。
【００３０】
表面板材１２の凹部１６の深さＨは１．５ｍｍであるので、子豚が新生豚保育用床暖房マット１０の上を歩行しても、子豚が凹部１６に脚をとられてつまずいたりすることはない。
主蹄が２０ｍｍ以下の子豚は、主蹄の全部を凹部１６に入れることができる。主蹄の全部が凹部１６に入ると、その主蹄は凹部１６の円弧に寄り添うようにはまる。主蹄が凹部１６に一旦はまると、主蹄が凹部１６に固定されて、凹部１６から主蹄に働く支持力が大きくなり、子豚が踏ん張っても、主蹄が凹部１６から外れない。
【００３１】
新生豚保育用床暖房マット１０の上を歩行する子豚が、よろけたり、脚を滑らしそうになっても、子豚は、主蹄の全部あるいは一部を凹部１６に入れたり引っ掛けたりして踏ん張ることができ、転倒したりすることを防止できる。また、新生豚保育用床暖房マット１０の上で腹這いや横臥状態になっていた子豚は、主蹄の全部あるいは一部を凹部１６に入れたり引っ掛けたりして、滑ることなく安全にしっかりと起ち上がることができる。
【００３２】
最短距離で隣接する凹部１６どうしの中心間距離Ｌ１は、３０ｍｍであるので、子豚は、左右の前脚や後脚を大きく開きすぎることなく、凹部１６を手がかりとして踏ん張ることができる。したがって、子豚が、滑って転倒したりすることが防止され、左右の前脚や後脚を大きく開きすぎることもなく、子豚に関節障害が発生することも防止されている。
すなわち、表面板材１２の表側面１４に凹部１６を設けたことにより、子豚の起立性が向上し、股裂きや、脱臼などの関節障害を防ぐことができる。
【００３３】
凹部１６の深さＨは１．５ｍｍであるので、凹部１６に汚れがたまりにくい。もし、凹部１６に汚れが付着したとしても、凹部１６の汚れを簡単に水で洗い流すことができる。したがって、保育室を清潔に保つことが容易であり、子豚が病気になることが予防される。
面発熱体２０と断熱材基盤２６は、表面板材１２と底面床材２８によって密封されており、さらに、抵抗体２２が薄層２５の中に密封されており、ソケット３０も防水構造を有しているので、新生豚保育用床暖房マット１０に水をかけても、ショートしたりするおそれがない。
【００３４】
新生豚保育用床暖房マット１０の抵抗体２２に流れる電流は直流であり、抵抗体２２に印加される電圧は２０ボルト以下である。したがって、万一、ソケット３０や電源コード３１に損傷が生じたとしても、子豚が感電ショックを受けることがない。
新生豚保育用床暖房マット１０の表面板材１２と底面床材２８は、ともにステンレス製の板材によって形成されているので、子豚によってかじられて損傷することがない。
【００３５】
なお、表面板材１２は、加工しやすい形状であり、かつ凹部１６をプレス成型などによって形成する際に歪みを生じにくい形状であることが好ましい。
また、凹部１６は底面を有し、この底面の周囲を内壁が取り囲んでいるが、底面と底面の周囲の内壁との境界部分には角をつけずに丸みを与えて、この境界部分や底面に汚れが溜まりにくくすることが好ましい。
【００３６】
本実施の形態において、凹部１６の形状が円形であるとしたが、代わりに、凹部１６の形状を楕円形としたり、多角形としたりすることが可能であることは勿論である。
本実施の形態において、凹部１６の直径Ｄが２０ｍｍ、凹部１６の深さＨが１．５ｍｍ、隣接する凹部１６どうしの最短の中心間距離Ｌ１が３０ｍｍであるとしたが、凹部１６の直径Ｄ、深さＨ、中心間距離Ｌ１は、新生豚保育用床暖房マット１０を敷設した保育室で飼育される子豚の体格にあわせて適宜決定することができる。
【００３７】
例えば、子豚が誕生してからｄ１日目までの間、子豚が主蹄の全部を凹部１６に入れて踏ん張ることができるようにしたいのであれば、凹部１６の直径Ｄを生後ｄ１日目における子豚の主蹄の大きさに合わせておけばよい。子豚の主蹄が凹部１６よりも大きく成長した場合には、その子豚は主蹄の一部を凹部１６に引っ掛けて踏ん張ることができる。
誕生して間もない子豚を飼育する保育室に新生豚保育用床暖房マット１０を敷設する場合、最初、凹部１６の深さＨを１ｍｍとし、子豚が大きくなるにつれて、深さＨを徐々に２ｍｍまで大きくしていくことが可能である。
【００３８】
生後ｄ２日目以降の子豚を飼育する保育室に新生豚保育用床暖房マット１０を敷設する場合、隣接する凹部１６どうしの最短の中心間距離Ｌ１を、生後ｄ２日目における子豚の前脚の左右の主蹄どうしの間隔の半分以下の大きさ、あるいは、後脚の左右の主蹄どうしの間隔の半分以下の大きさにしておけばよい。
本実施の形態において、凹部１６Ａを中心とする直径３０ｍｍの円周上に、６個の凹部１６Ｂが等間隔で配置されているとしたが、凹部１６Ｂの数が６個に限定されるものでないことは勿論である。例えば、４個の凹部１６Ｂが等間隔で配置（すなわち、碁盤の目状に配置）されていてもよい。
本実施の形態において、最も密に凹部１６を配置する場合、凹部１６Ａを中心として６個の凹部１６Ｂが等間隔で配置される円周の半径の大きさと、凹部１６の直径Ｄの大きさとを、一致させればよい。
【００３９】
次に、本発明者が行った試験１〜３の結果を説明する。試験１〜３において、本発明者はそれぞれ以下に説明する新生豚保育用床暖房マットを使用した。試験１〜３によって、本発明者は、新生豚保育用床暖房マット１０の表面板材１２の凹部１６の作用効果について検証した。
試験１において、本発明者は、基本的に上述した新生豚保育用床暖房マット１０と同様の構成の新生豚保育用床暖房マットを準備した。試験１の新生豚保育用床暖房マットは、図４に示す表面板材１２Ａを有する。
【００４０】
表面板材１２Ａは、縦１２００ｍｍ、幅４５０ｍｍ、厚さ０．５ｍｍのステンレス（ＳＵＳ３０４）製の磨き板によって形成されている。表面板材１２Ａの表側面１４には、互いに独立した複数個の円形の凹部１６が、全面にわたって均等にプレス成型されている。各凹部１６の直径Ｄは２０ｍｍ、凹部１６の深さＨは１．５ｍｍである。
表面板材１２Ａ上において、凹部１６が複数本の仮想の平行線α上に等間隔で配置されており、隣接する平行線αどうしの間隔Ｌ２は等間隔３５ｍｍである。ある１本の平行線α上において、隣接する凹部１６どうしの中心間距離Ｌ３は４０ｍｍである。また、ある１本の平行線α上の凹部１６と、これに隣接する平行線α上の最も短い距離にある凹部１６と、の中心間距離Ｌ４は、（２０2＋３５2）0.5ｍｍである。
【００４１】
なお、表面板材１２Ａの裏側面上には、凹部１６が直径２０ｍｍの円形の突起となって全面にわたって突出している。
また、試験１の新生豚保育用床暖房マットが有する面発熱体の抵抗体は、その印加電圧が１２ボルトであり、消費電力が２０ワットである。
本発明者は、試験１の新生豚保育用床暖房マットを子豚の保育室の床に敷設し、保育室の室温を２５〜３０℃に維持した。そして、本発明者は、試験１の新生豚保育用床暖房マットの上に、同一の母豚から生まれた生後７日目になる１０匹の子豚を放し、子豚の起立性、歩行安定性を観察した。各子豚にはカラーマーカーで印を施し、各子豚の識別を可能にした。また、これらの子豚の主蹄の大きさは２０〜３０ｍｍ、前脚の左右の主蹄どうしの間隔、及び、後脚の左右の主蹄どうしの間隔は、７０〜９０ｍｍである。
【００４２】
本発明者は、保育室の上部から子豚の様子をビデオで撮影し、それぞれの個体に着目しながらビデオの巻きもどしと再生を繰り返し、子豚が起ち上がりを開始してから起ち上がるまでの時間をストップウオッチで２０回計測して、子豚の起立性を調べた。また、子豚が起ち上がった後の歩き方を目視で観察して、子豚の歩行安定性を調べた。
表１に試験１で調べた子豚の起立性の結果を示す。
【００４３】
【表１】
2010142186.tif 000003
【００４４】
表１からわかるように、試験１において、子豚が起ち上がりを開始してから起ち上がるまでの時間は、０．６〜１．８秒であり、その平均値は０．９秒であった。
子豚が腹這いや横臥状態から起ち上がろうとする際、子豚は主蹄の全部あるいは一部を凹部１６に入れたり引っ掛けたりして、しっかりと安全に起ち上がることができた。
起ち上がった後の子豚の歩き方からその歩行安定性を観察すると、子豚は、試験１の新生豚保育用床暖房マットの上を滑ったり転倒したりすることなく、安定して歩行することができた。また、歩行している子豚は、滑りそうになる前に、主蹄の全部あるいは一部を凹部１６に入れるか引っ掛けるかして、常に安定した姿勢を維持していた。
すなわち、子豚は凹部１６を安全に起ち上がったり歩行したりするための手がかりとして利用することができた。
【００４５】
試験２において、本発明者は、以下に述べる新生豚保育用床暖房マットを子豚の保育室の床に敷設した。
試験２の新生豚保育用床暖房マットは、裏返しにした表面板材１２Ａを有するという点を除いて試験１の新生豚保育用床暖房マットと同じ構成を有している。すなわち、試験２の新生豚保育用床暖房マットの表側面には、直径２０ｍｍの円形の突起が全面にわたって均等に突出している。各突起の高さは１．５ｍｍである。
【００４６】
本発明者は、試験１と同様に保育室の室温は２５〜３０℃に維持し、試験２の新生豚保育用床暖房マットの上に、試験１で用いた１０匹の子豚を放し、子豚の起立性、歩行安定性を観察した。試験２における起立性と歩行安定性の観察方法は試験１と同じである。
表１に試験２で調べた子豚の起立性の結果を示す。
表１からわかるように、試験２において、子豚が起ち上がりを開始してから起ち上がるまでの時間は、２．６〜５．４秒であり、その平均値は３．７秒であった。
【００４７】
撮影したビデオを詳細に観察した結果、以下のことがわかった。子豚が腹這いや横臥状態から起ち上がろうとする際、主蹄を突起の周縁部にあてがって踏ん張ろうとしても、主蹄が略円形であるため、主蹄と突起の円弧との接触面が小さく、主蹄が突起から外れやすい。この結果、子豚の起き上がりが不安定になり、時間を要することになってしまう。
起ち上がった後の子豚の歩き方からその歩行安定性を観察したが、子豚の姿勢がふらついて安定しなかった。そして、ふらついた子豚が、主蹄を突起にあてがって踏ん張り、姿勢を保とうとしたが、やはり、突起から主蹄が滑ってはずれやすかった。その結果、転倒してしまう子豚が見られた。
【００４８】
試験２より、裏返しにした表面板材１２Ａの上（すなわち、突起を表面に形成したステンレス板の上）では、子豚が滑ったり転倒したりして関節障害を生じる危険性があることが確認された。したがって、突起を表面に形成したステンレス板を表面板材として有する新生豚保育用床暖房マットを、子豚を飼育する豚舎の保育室の床に敷くことは、子豚の起立性や歩行安定性の点から好ましいことであるとは言えない。
試験３において、本発明者は、以下に述べる新生豚保育用床暖房マットを子豚の保育室の床に敷設した。
試験３の新生豚保育用床暖房マットは、平坦で凹凸のないステンレス（ＳＵＳ３０４）製の磨き板からなる表面板材を有するという点を除いて、試験１の新生豚保育用床暖房マットと同じ構成を有している。
【００４９】
本発明者は、試験１と同様に保育室の室温は２５〜３０℃に維持し、試験３の新生豚保育用床暖房マットの上に、試験１で用いた１０匹の子豚を放し、その起立性、歩行安定性を観察した。試験３における起立性と歩行安定性の観察方法は試験１と同じである。
表１に試験３で調べた子豚の起立性の結果を示す。
表１からわかるように、試験３において、子豚が起ち上がりを開始してから起ち上がるまでの時間は、１．７〜３．２秒であり、その平均値は２．４秒であった。
【００５０】
子豚が腹這いや横臥状態から起ち上がろうとしても、主蹄をあてがって踏ん張るための手がかりが試験３の新生豚保育用床暖房マットの上には存在せず、何度も滑って起ち上がるまでに時間を要してしまうのである。
起ち上がった後の子豚の歩き方からその歩行安定性を観察すると、子豚の姿勢がふらついて安定しなかった。そして、子豚が主蹄をあてがって踏ん張るための手がかりが試験３の新生豚保育用床暖房マットの上には存在しないので、結局、ふらついた子豚は、転倒しやすかった。
【００５１】
試験３より、平坦で凹凸のないステンレス製の磨き板の上では、子豚が滑ったり転倒したりして関節障害を生じる危険性があることが確認された。すなわち、平坦で凹凸のないステンレス製の磨き板を表面板材として有する新生豚保育用床暖房マットを、子豚を飼育する豚舎の保育室の床に敷くことは、子豚の起立性や歩行安定性の点から好ましいことであるとは言えない。
【００５２】
以上の試験１〜３の結果を比較することにより、以下の結論を導くことができる。
ステンレス板の表面の成型加工状態により、子豚の起立性、歩行安定性は異なることがわかる。特に、試験１と試験２の結果が示すように、通常滑り止めとしては互換性があるとみなされがちな凸部と凹部とでは、子豚の起立性に大きな差異があり、かつ有意に異なり、歩行安定性にも差があることがわかる。
したがって、凹部を成型加工したステンレス板を表面板材とした新生豚保育用床暖房マットに限って、子豚が滑り難く、かつ子豚の起立性や歩行安定性にも優れていることが明らかである。
【図面の簡単な説明】
【００５３】
【図１】新生豚保育用床暖房マットの上面図である。
【図２】図１のＩＩ−ＩＩ線断面図である。
【図３】面発熱体の構成図である。
【図４】試験１で用いた表面板材の表面図である。
【図５】子豚の脚先の説明図である。
【符号の説明】
【００５４】
１０    新生豚保育用床暖房マット
１２、１２Ａ    表面板材
１４    表面板材の表側面
１６、１６Ａ、１６Ｂ    凹部
１８    平坦部
２０    面発熱体
２２    抵抗体
２４Ａ、２４Ｂ    電線
２５    薄層
２６    断熱材基盤
２８    底面床材
３０    ソケット
３１    電源コード
３２    主蹄
３４    副蹄
Ｄ    凹部の直径
Ｈ    凹部の深さ
Ｌ１    隣接する凹部どうしの最短の中心間距離
【図１】
2010142186.tif 000004
【図２】
2010142186.tif 000005
【図３】
2010142186.tif 000006
【図４】
2010142186.tif 000007
【図５】
2010142186.tif 000008